Podtech/llm-jp-corpus-v4-ja_patent huggingface dataset:
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
物理ネットワークで接続された複数の物理機器に対して構築された仮想ネットワークを管理する管理サーバとして、前記物理ネットワークに接続されたコンピュータを機能させる管理サーバプログラムであって、
前記管理サーバは、
前記仮想ネットワークとして、仮想ＬＡＮ技術を含む複数の仮想化技術によって定義された、仮想ＬＡＮを含む複数種類の仮想リソースが接続されて構成される仮想ネットワークを対象とし、
前記仮想ＬＡＮを含む複数の仮想リソースのインスタンスのいずれかを、前記物理機器に設定された機器設定情報から特定するための、前記仮想リソースのインスタンスに関する、抽象化した設定情報である設定パターンと、
前記複数の仮想リソースのインスタンス間の関係を前記機器設定情報から特定するための、パターン化した設定情報である接続パターンと、を保持し、
前記設定パターンと前記接続パターンとを参照して、前記機器設定情報から、複数の前記仮想リソースのインスタンスの情報と、複数の前記仮想リソースのインスタンス間の関係の情報と、を抽出し、
抽出した前記仮想リソースのインスタンスの情報と、前記仮想リソースのインスタンス間の関係の情報と、に基づき、前記仮想ネットワークの論理トポロジ情報を生成する
ことを特徴とする管理サーバプログラム。
【請求項２】
請求項１に記載の管理サーバプログラムが機能させる前記管理サーバにおいて、
前記仮想リソースのインスタンスは、前記仮想化技術によって生成され、
前記仮想リソースのインスタンスの情報は、仮想リソースの種類を示すノードタイプと、前記ノードタイプにおける当該仮想リソースのインスタンスを識別する識別子と、を含み、
前記仮想リソースのインスタンス間の関係の情報は、接続対象となる２つの前記仮想リソースのインスタンスの情報を含む
ことを特徴とする管理サーバプログラム。
【請求項３】
請求項２に記載の管理サーバプログラムが機能させる前記管理サーバにおいて、
前記管理サーバプログラムが機能させる前記管理サーバにおいて、
前記物理機器として、物理サーバ機器と物理ネットワーク機器のいずれか一方または両方を対象とし、
前記仮想化技術は、前記仮想ＬＡＮ技術に加え、仮想インタフェース技術、仮想ルータ技術、仮想サーバ技術のいずれか一つ以上を含み、
対象とする前記仮想ネットワークにおいて、前記仮想リソースは、前記仮想サーバ技術によって前記物理サーバ機器内で論理的に生成しネットワーク機能を付与することで実現されるか、もしくは、前記物理ネットワーク機器内で論理的に生成されるものを含む
ことを特徴とする管理サーバプログラム。
【請求項４】
請求項２または３に記載の管理サーバプログラムが機能させる前記管理サーバにおいて、
対象とする前記仮想ネットワークにおいて、
前記仮想インタフェース技術、前記仮想ルータ技術、前記仮想サーバ技術のいずれかによって生成される仮想リソースのインスタンスの情報は、さらに、仮想リソースのインスタンスを保有する物理機器の識別子を含む
ことを特徴とする管理サーバプログラム。
【請求項５】
請求項１から４のいずれか一に記載の管理サーバプログラムが機能させる前記管理サーバにおいて、
対象とする前記仮想ネットワークにおいて、
前記仮想リソースのインスタンスをノードとし、
前記仮想リソースのインスタンス間の関係をエッジとし、
前記論理トポロジ情報として、前記ノードと前記エッジとを用いたグラフを生成し、
前記グラフを表示させる
ことを特徴とする管理サーバプログラム。
【請求項６】
請求項２から５のいずれか一に記載の管理サーバプログラムが機能させる前記管理サーバにおいて、
対象とする前記仮想ネットワークにおいて、
前記仮想リソースのインスタンス間の関係の種類をエッジタイプとし、
前記設定パターンに対して前記ノードタイプを対応づけ、
前記接続パターンに対して前記エッジタイプを対応づけ、
前記エッジタイプは、仮想ＬＡＮと仮想インタフェース間の関係、仮想インタフェースと仮想ルータ間の関係、仮想ルータ間の関係、のいずれかを表す
ことを特徴とする管理サーバプログラム。
【請求項７】
請求項１から６のいずれか一に記載の管理サーバプログラムが機能させる前記管理サーバにおいて
前記物理ネットワークは、物理ＬＡＮ、物理インタフェース、物理ルータのいずれか一つ以上の種類の物理リソースを含み、
一つの前記物理リソースを、前記仮想リソースにおいて該当する前記ノードタイプの一つのインスタンスとして管理する
ことを特徴とする管理サーバプログラム。
【請求項８】
請求項１から７のいずれか一に記載の管理サーバプログラムが機能させる前記管理サーバにおいて、
対象とする前記仮想ネットワークにおいて、
前記設定パターンは、さらに、仮想ネットワークインタフェース技術により生成される仮想リソースのインスタンスの情報と、生成される仮想リソースのインスタンスに設定されるIPアドレスの対応関係を保持し、
前記仮想リソースの種類における当該仮想リソースのインスタンスを識別する識別子は、ノードタイプが仮想インタフェースの場合は、抽出されたパラメータのうちIPアドレスを含み、
前記管理サーバは、前記設定パターンに基づいて、抽出済みの仮想インタフェースを表す仮想リソースのインスタンスに設定されるIPアドレス情報を抽出し管理する
ことを特徴とする管理サーバプログラム。
【請求項９】
請求項１から８のいずれか一に記載の管理サーバプログラムが機能させる前記管理サーバにおいて、
前記物理機器に設定された機器設定情報を、当該物理機器から取得する
ことを特徴とする管理サーバプログラム。
【手続補正２】
【補正対象書類名】明細書
【補正対象項目名】発明の名称
【補正方法】変更
【補正の内容】
【発明の名称】管理サーバプログラム
【手続補正書】
【提出日】平成26年7月12日(2014.7.12)
【手続補正１】
【補正対象書類名】明細書
【補正対象項目名】００１７
【補正方法】変更
【補正の内容】
【００１７】  次に請求項１〜請求項６の発明に関して、上記開口部と上記笛部との組が、上記中空体の複数個所に設けられているものとすることが出来る。中空体内部の空気が流通する開口部はただ１箇所にのみ限定されるものではない。従って例えば２つの開口部に異なる音色の鳴き笛（上記笛部）を設ける構成なども可能である。
【手続補正２】
【補正対象書類名】明細書
【補正対象項目名】００３６
【補正方法】変更
【補正の内容】
【００３６】  図示しないが、筒部２９と筒部２０１とは反響スペースや笛部のリードに違いがあるため、異なる音色の音を出すものであり、これ等２つの鳴き笛（上記笛部）が「鳴き比べ」をしているように聞こえる点が特に面白い。なお２つの異なる音色の笛を、その通気口同士を合わせるようにして、直列に繋げて成るものを提供することも可能である。
【手続補正３】
【補正対象書類名】明細書
【補正対象項目名】００４２
【補正方法】変更
【補正の内容】
【００４２】  ボール人形５が振動することにより、筒部６の内部でホルダー６３すなわち笛部６２がコイルバネ６１の弾性力によって振動し、しかも上記突部６８とガイド溝６７との嵌合によってホルダー６３が回動することなく振動して、ホルダー６３の先の舌状体６４が上記キャップ６５の開口部６６から、回動することなく、恰もお喋りするかのように出たり入ったりする。あるいはボール人形５が手で潰されて圧縮されることによって、ホルダー６３の先の舌状体６４がキャップ６５の舌用開口部６６から飛び出し、またボール人形５がその弾力性によって形状復元を行う際にはホルダー６３の先の舌状体６４がキャップ６５の舌用開口部６６から中に引き込む様子が見られる。これ等の運動に際しては鳴き笛（上記笛部６２）の奏鳴を伴うために、見ていて興趣の尽きることがない。
【手続補正書】
【提出日】平成26年9月18日(2014.9.18)
【手続補正１】
【補正対象書類名】明細書
【補正対象項目名】０００８
【補正方法】変更
【補正の内容】
【０００８】
以上の課題を解決するために、本発明に係るネイルプリント装置は、
複数の指の爪に印刷する印刷ヘッドと、
前記印刷ヘッドによって印刷中の爪の指か、印刷中でない爪の指か、を識別して表示させる表示制御部と、
を備える。
【手続補正２】
【補正対象書類名】特許請求の範囲
【補正対象項目名】全文
【補正方法】変更
【補正の内容】
【特許請求の範囲】
【請求項１】
複数の指の爪に印刷する印刷ヘッドと、
前記印刷ヘッドによって印刷中の爪の指か、印刷中でない爪の指か、を識別して表示させる表示制御部と、
を備えることを特徴とするネイルプリント装置。
【請求項２】
表示部を更に備え、
前記表示制御部は、
印刷を実施する前記複数の指の爪をすべて前記表示部に表示するとともに、前記爪に印刷される印刷画像を前記表示部に表示させるものであり、
前記印刷ヘッドによって印刷中の指の爪の、前記印刷中の指の爪の実寸サイズに対する前記表示部に表示される前記印刷中の指の爪の表示サイズの比率を、印刷中でない指の爪の、前記印刷中でない指の爪の実寸サイズに対する前記表示部に表示される前記印刷中でない指の爪の表示サイズの比率より高くして表示することを特徴とする請求項１に記載のネイルプリント装置。
【請求項３】
表示部と、
印刷の進捗状況を検出して、印刷を実施する前記複数の指の爪のうち前記印刷ヘッドによって印刷中の指の爪か印刷中でない指の爪かを判別するとともに、爪に印刷される印刷画像のうち既印刷領域と未印刷領域とを判別する進捗状況検出部と、
を備え、
前記表示制御部は、前記進捗状況検出部による検出結果に応じて前記表示部の表示を制御することを特徴とする請求項１に記載のネイルプリント装置。
【請求項４】
前記表示部は、
印刷を実施する前記複数の指の爪すべてを表示する全指表示領域と、
前記複数の指の爪のうち前記印刷中の指の爪を拡大表示して、印刷する印刷画像のうちの既印刷領域と未印刷領域とを識別可能に表示する進捗表示領域と、
を備えていることを特徴とする請求項２に記載のネイルプリント装置。
【請求項５】
前記進捗表示領域は、印刷開始後に前記全指表示領域の全部又は一部が縮小されることにより前記表示部上に確保されることを特徴とする請求項４に記載のネイルプリント装置。
【請求項６】
前記表示制御部は、前記既印刷領域に相当する既印刷相当領域を前記表示部に不透明表示させるとともに、前記未印刷領域に相当する未印刷相当領域を前記表示部に半透明表示させることを特徴とする請求項３に記載のネイルプリント装置。
【請求項７】
前記表示制御部は、前記未印刷領域に相当する未印刷相当領域を中抜きして前記未印刷相当領域のエッジを前記表示部に表示させるとともに、前記既印刷領域に相当する既印刷相当領域を中抜きせずに前記既印刷相当領域を前記表示部に表示させることを特徴とする請求項３に記載のネイルプリント装置。
【請求項８】
前記表示制御部は、前記既印刷領域に相当する既印刷相当領域を前記表示部に表示させ、前記未印刷領域に相当する未印刷相当領域を表示させないことを特徴とする請求項３に記載のネイルプリント装置。
【請求項９】
前記表示制御部は、前記既印刷領域に相当する既印刷相当領域を前記表示部に常時表示させるとともに、前記未印刷領域に相当する未印刷相当領域を前記表示部に点滅表示させることを特徴とする請求項３に記載のネイルプリント装置。
【請求項１０】
前記印刷ヘッドによって進行されている印刷が終了するまでの残存時間を計算する残存時間計算部を更に備え、
前記表示制御部は、前記残存時間計算部によって計算された残存時間とともに、前記既印刷領域に相当する既印刷相当領域と前記未印刷領域に相当する未印刷相当領域を前記表示部に表示させることを特徴とする請求項３に記載のネイルプリント装置。
【請求項１１】
前記表示制御部は、前記印刷ヘッドによって印刷中の爪の指に対応する指画像にマークを付して前記表示部に表示させることを特徴とする請求項２に記載のネイルプリント装置。
【請求項１２】
前記表示制御部は、
前記表示部に表示させるマークと異なる表示態様のマークを印刷中でない爪の指に対応する指画像に付して前記表示部に表示させることを特徴とする請求項１１に記載のネイルプリント装置。
【請求項１３】
前記表示制御部は、前記印刷ヘッドによって印刷中の爪の指に対応する指画像に語を付して前記表示部に表示させるとともに、その語と異なる内容の語を印刷中でない爪の指に対応する指画像に付して前記表示部に表示させることを特徴とする請求項２に記載のネイルプリント装置。
【請求項１４】
前記表示制御部は、複数の指画像のうち、前記印刷ヘッドによって印刷中の爪の指に対応する指画像のみに語を付して前記表示部に表示させることを特徴とする請求項２に記載のネイルプリント装置。
【請求項１５】
前記表示制御部は、複数の指画像のうち、前記印刷ヘッドによって印刷中の爪の指に対応する指画像のみに矢印を付して前記表示部に表示させることを特徴とする請求項２に記載のネイルプリント装置。
【請求項１６】
前記表示制御部は、前記印刷ヘッドによって印刷中の爪の指に対応する指画像を前記表示部に点滅表示させるとともに、印刷中でない爪の指に対応する指画像を前記表示部に常時表示させることを特徴とする請求項２に記載のネイルプリント装置。
【請求項１７】
前記表示制御部は、前記印刷ヘッドによって印刷中の爪の指に対応する指画像を前記表示部に常時表示させるとともに、印刷中でない爪の指に対応する指画像を前記表示部に点滅表示させることを特徴とする請求項２に記載のネイルプリント装置。
【請求項１８】
前記表示制御部は、前記印刷ヘッドによって印刷中の爪の指に対応する指画像を前記表示部に半透明表示させるか、または印刷中でない爪の指に対応する指画像を前記表示部に半透明表示させることを特徴とする請求項２に記載のネイルプリント装置。
【請求項１９】
前記印刷中でない爪の指は、印刷済みの爪の指と、未印刷の爪の指を含み、
前記表示制御部は、前記印刷済みの爪の指に対応する指画像と、前記未印刷の爪の指に対応する指画像とを識別して、これらの指画像を前記表示部に表示させることを特徴とする請求項２に記載のネイルプリント装置。
【手続補正書】
【提出日】平成26年9月12日(2014.9.12)
【手続補正１】
【補正対象書類名】明細書
【補正対象項目名】００１３
【補正方法】変更
【補正の内容】
【００１３】
【図１】本発明に係る複合伸縮性材料を製造する装置の実施形態を示す略図。
【図２】実施形態に係る欠歯ギヤロール及び連続ギヤロールの斜視図。
【図３】実施形態に係る欠歯ギヤロール及び連続ギヤロールの正面図。
【図４】実施形態に係る欠歯ギヤロール及び連続ギヤロールの側面拡大図。
【図５】一方の不織布シート部分を折り重ね装置で折り重ねる前の複合伸縮性材料の正面図及び断面図。
【図６】一方の不織布シート部分を折り重ね装置で折り重ねた後の複合伸縮性材料の正面図及び断面図。
【図７】実施形態に係る、図６の線ＶＩＩで区切られた部分の複合伸縮性材料の部分拡大斜視イメージ図。
【図８】図７の複合伸縮性材料の展開図。
【図９】弾性部材の断面周辺を拡大した図７の正面図。
【図１０】欠歯ギヤロール及び連続ギヤロールの周囲方向を直線状に展開した、欠歯ギヤロール及び連続ギヤロールとこれらの間に配置され変形されている不織布シートとの噛み合わせ部分周辺の拡大断面イメージ図。
【図１１】実施例及び比較例の複合伸縮性材料の表面形状の測定結果を表すグラフの一例。
【図１２】弾性貼り合わせ倍率を変化させて計測した実施例及び比較例の複合伸縮性材料の厚さを示すグラフ。
【手続補正２】
【補正対象書類名】明細書
【補正対象項目名】００２１
【補正方法】変更
【補正の内容】
【００２１】
図４は本実施形態に係る欠歯ギヤロール１５Ａ及び連続ギヤロール１５Ｂの部分側面図を示している。本実施形態では、欠歯ギヤロール１５Ａ及び連続ギヤロール１５Ｂの歯２７，２９の高さＴＨは約１ｍｍであり、隣り合う歯２７，２９の頂部同士の間隔ＴＰは１ｍｍである。また、各歯２７，２９の頂部には平坦部３５があり、その平坦部３５の周方向の長さＴＬは約０．１ｍｍである。
【手続補正３】
【補正対象書類名】明細書
【補正対象項目名】００２９
【補正方法】変更
【補正の内容】
【００２９】
図１に戻って、最後に、折り重ね装置２３を通過した複合伸縮性材料３Ｂは、貼り合わせプレス２５に移送され、圧力が印加されて、不織布シート部分同士が非凹凸領域４３において弾性部材２Ｂを介して接合されて、最終的な複合伸縮性材料３Ｃが完成する。
【手続補正４】
【補正対象書類名】明細書
【補正対象項目名】００３７
【補正方法】変更
【補正の内容】
【００３７】
ここで、各不織布シート部分１Ｕ，１Ｌが、図７及び図８に示すような形状に変形される機構について説明する。図１０は、欠歯ギヤロール１５Ａ及び連続ギヤロール１５Ｂの周囲方向を直線状に展開した、欠歯ギヤロール１５Ａ及び連続ギヤロール１５Ｂとこれらの間に配置され変形されている不織布シート１との、噛み合わせ部分周辺の拡大断面イメージ図を示し、図１０（Ａ）は、欠歯ギヤロール１５Ａの欠歯部分３１における断面図を示し、図１０（Ｂ）は、欠歯ギヤロール１５Ａの不連続歯２９部分における断面図を示すものである。図１０を参照すると、一方では、欠歯ギヤロール１５Ａの欠歯部分３１に導入される不織布シート１は、図１０（Ａ）に示されているように、連続ギヤロール１５Ｂに、連続ギヤロール１５Ｂの半径方向外側に押されるものの変形せず、非凹凸領域４３を形成することとなり、他方では、図１０（Ｂ）に示されているように、欠歯ギヤロール１５Ａの不連続歯２９と連続ギヤロール１５Ｂの連続歯２７との間に噛み込まれる不織布シート１は、歯先端部分３３にロックされることになる。そうすることによって、三点曲げ状に隣り合う歯先端部分３３Ｂと歯先端部分３３Ａと別の歯先端部分３３Ｂとの間で延伸されて、その歯先端部分３３Ａを頂部とする凸部５３を形成する一方で、さらに、三点曲げ状に隣り合う歯先端部分３３Ａと歯先端部分３３Ｂと別の歯先端部分３３Ａとの間で延伸されて、その歯先端部分３３Ｂを底部とする凹部５１を形成する。このとき欠歯ギヤロール１５Ａの欠歯部分３１において連続ギヤロール１５Ｂに押される不織布シート１の非凹凸領域４３と、欠歯ギヤロール１５Ａの不連続歯２９部分において連続ギヤロール１５Ｂの歯先端部分３３Ｂでロックされることになる不織布シート１の凹部５１の底部との、各ギヤロール１５Ａ，１５Ｂにおける半径方向の位置がほぼ同じになり、すなわち不織布シート１における厚さ方向位置がほぼ同じになり、不織布シート１に凹凸列４１及び非凹凸領域４３が形成された後も、これらはほぼ同一の面上に存在することになる。ここで、前記面を各不織布シート部分１Ｕ，１Ｌについての基準面ＲＰと定義する。なお、本実施形態では、基準面ＲＰは平面状であり、非凹凸領域４３はこの基準面ＲＰ上で拡がることとなる。
【手続補正５】
【補正対象書類名】図面
【補正対象項目名】図４
【補正方法】変更
【補正の内容】
【図４】
2013081715.tif 000001
【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
所定の検出信号に起因する抽選処理を実行し、その抽選結果に対応した演出動作を実行する遊技機であって、
所定の検出信号とは別の複数の検出信号を受ける周辺端末部と、周辺端末部とシリアル通信回線によって接続され、周辺端末部を経由して受信した検出信号に対応する制御動作を実行する制御部と、を設けて構成され、
前記周辺端末部は、
前記制御部から動作開始信号を受けると、そのタイミングにおける前記複数の検出信号をパラレルデータとして保持する第１手段と、
伝送信号を受けると、その時に保持するパラレルデータを、伝送信号に同期するシリアルデータとして前記制御部に伝送する第２手段と、
を有して構成されていることを特徴とする遊技機。
【手続補正２】
【補正対象書類名】明細書
【補正対象項目名】００１１
【補正方法】変更
【補正の内容】
【００１１】
上記の目的を達成するため、本発明は、所定の検出信号に起因する抽選処理を実行し、その抽選結果に対応した演出動作を実行する遊技機であって、所定の検出信号とは別の複数の検出信号を受ける周辺端末部と、周辺端末部とシリアル通信回線によって接続され、周辺端末部を経由して受信した検出信号に対応する制御動作を実行する制御部と、を設けて構成され、前記周辺端末部は、前記制御部から動作開始信号を受けると、そのタイミングにおける前記複数の検出信号をパラレルデータとして保持する第１手段と、伝送信号を受けると、その時に保持するパラレルデータを、伝送信号に同期するシリアルデータとして前記制御部に伝送する第２手段と、を有して構成されている。
【手続補正書】
【提出日】平成26年7月30日(2014.7.30)
【手続補正１】
【補正対象書類名】明細書
【補正対象項目名】００３１
【補正方法】変更
【補正の内容】
【００３１】
スプール１２は、図２に拡大して示すように、アルミニウム合金を切削加工することによって形成されており、外周に釣り糸が巻き付けられる筒状の糸巻胴部１２ｂと、糸巻胴部１２ｂの両端にそれぞれ径方向外方に突出して設けられたフランジ部１２ａと、糸巻胴部１２ｂの内周部に形成され内周にスプール軸１６に固定されるボス部１２ｃとを有している。糸巻胴部１２ｂ、フランジ部１２ａ及びボス部１２ｃは、アルミニウム合金の部材によって一体成形されている。スプール１２は、スプール軸１６にたとえばセレーション結合により回転不能に固定されている。この固定方法はセレーション結合等の凹凸による固定法に限定されず、接着やインサート成形等、種々の結合方法を用いることができる。
【手続補正２】
【補正対象書類名】明細書
【補正対象項目名】００３４
【補正方法】変更
【補正の内容】
【００３４】
ピニオンギア３２は、図２に示すように、第２側板５ｂの外方から内方に延び、中心にスプール軸１６が貫通する筒状部材であり、スプール軸１６に軸方向に移動自在に装着されている。また、ピニオンギア３２の図２左端部は、軸受４３により第２側板５ｂに回転自在かつ軸方向移動自在に支持されている。この図２に示すように、軸受４３もシールドボールベアリングである。
【手続補正３】
【補正対象書類名】図面
【補正対象項目名】図２
【補正方法】変更
【補正の内容】
【図２】
2013081388.tif 000001
【誤訳訂正書】
【提出日】平成26年5月13日(2014.5.13)
【誤訳訂正１】
【訂正対象書類名】明細書
【訂正対象項目名】００１０
【訂正方法】変更
【訂正の内容】
【００１０】
商業用の実施形態は好ましくは、簡単なプロトコル変換およびワイヤレスネットワーキングのサポート以外の機能を提供するソフトウェアを含む。例えば、そのソフトウェアは有利にも、ＷＥＰ（ワイヤードイクイバレントプロトコル）（Ｗｉｒｅｄ  Ｅｑｕｉｖａｌｅｎｔ  Ｐｒｏｔｏｃｏｌ）およびＷＰＡ（ワイヤレスネットワーキング保護アクセス）（Ｗｉｒｅｌｅｓｓ  Ｎｅｔｗｏｒｋｉｎｇ  Ｐｔｏｔｅｃｔｅｄ  Ａｃｃｅｓｓ）セキュリティ、ならびに様々な種類の暗号化などのセキュリティ機能を提供することができる。ソフトウェアはまた、少なくとも１つのＭＩＬＡＲＲＳ機能を提供することもできる。別の例では、ソフトウェアは電子メールアラートなどのウェブ関連のサービスを提供することができる。
【誤訳訂正２】
【訂正対象書類名】明細書
【訂正対象項目名】００３７
【訂正方法】変更
【訂正の内容】
【００３７】
マイクロプロセッサは、有利にもＭＩＬＡＲＲＳ機能を実装することができる。ＭＩＬＡＲＲＳとは、管理者のためにデバイスの状況を監視すること、デバイスのサブシステム、部品または資産についての在庫目録を作ること、デバイスによって生成されたデータまたはイベントを記録すること、デバイスの状況を管理者に警告するか、定められた規則に基づいて動作を行うこと、デバイスが機能しなくなるか、またはシャットダウンする場合にデバイスを回復させること、デバイス情報または診断を管理者に報告すること、およびデバイスおよびその資産を脅威および危険から守ることを指す。この略成語および実装に関するさらなる詳細は、２００５年１月７日に提出された米国特許第１１／０３１６４３号の中で言及されている。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
多数の画素を持つ表示パネルと該表示パネルを背後から照明するバックライトとを有するディスプレイを備え、前記表示パネルの各画素の透過率を変更して前記ディスプレイの画面の背景の中に検査視標を表示する視標呈示装置において、
背景の輝度を第１輝度として、検査視標を表示する昼間検査モードと，前記背景の輝度を前記第１輝度よりも低く、夜を想定した第２輝度として、検査視標を表示する夜間検査モードと，を切換えるモード切換手段と、
昼間検査モードでは前記第１輝度となるように前記バックライトの光量及び各画素の透過率を制御し、夜間検査モードでは前記第２輝度となるように昼間検査モード時に対して前記バックライトの光量及び各画素の透過率少なくとも一方をさらに低下する制御を行う制御手段と、
を備えることを特徴とする視標呈示装置。
【請求項２】
請求項１の視標呈示装置において、
前記制御手段は、前記モード切換手段によって、前記昼間検査モードと前記夜間検査モードとが切換えられた場合に、検査視標を変更することなく、前記背景の輝度を前記第１輝度又は前記第２輝度に変更することによって、前記昼間検査モードと前記夜間検査モードとが切換えられた場合に、同一の検査視標を表示した状態で前記背景の輝度を変更することを特徴とする視標呈示装置。
【請求項３】
請求項１又は２の視標呈示装置において、
前記制御手段は、前記夜間検査モードでは前記バックライトの光量を前記昼間検査モード時と同じとしたまま背景の各画素の透過率を低下させるか、又は前記バックライトの光量を前記昼間検査モード時より低下し、且つ画素の透過率を低下させることを特徴とする視標呈示装置。
【手続補正２】
【補正対象書類名】明細書
【補正対象項目名】０００７
【補正方法】変更
【補正の内容】
【０００７】
本発明は、上記課題を解決するために、以下の構成を有することを特徴とする。
（１）  本開示の第１態様に係る視標呈示装置は、多数の画素を持つ表示パネルと該表示パネルを背後から照明するバックライトとを有するディスプレイを備え、前記表示パネルの各画素の透過率を変更して前記ディスプレイの画面の背景の中に検査視標を表示する視標呈示装置において、背景の輝度を第１輝度として、検査視標を表示する昼間検査モードと，前記背景の輝度を前記第１輝度よりも低く、夜を想定した第２輝度として、検査視標を表示する夜間検査モードと，を切換えるモード切換手段と、昼間検査モードでは前記第１輝度となるように前記バックライトの光量及び各画素の透過率を制御し、夜間検査モードでは前記第２輝度となるように昼間検査モード時に対して前記バックライトの光量及び各画素の透過率少なくとも一方をさらに低下する制御を行う制御手段と、
を備えることを特徴とする。
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
被検体にＸ線を曝射するＸ線発生部と前記被検体を透過したＸ線を検出するＸ線検出器とを支持する支持体と、
前記被検体に対して前記支持体を回転・移動して前記被検体を透視するように制御する制御部と、
前記透視に基づいて透視画像を生成する画像処理部と、
前記透視画像上に、前記被検体に挿入されたアブレーション用カテーテルでの焼灼対象位置に対応する焼灼ポイントを表示する表示部と、
を具備する医用画像診断装置。
【請求項２】
前記画像処理部は、前記透視画像上に設定されたＲＯＩ内の画像から前記アブレーション用カテーテルの先端位置を認識し、前記焼灼ポイントを示す画像を生成する請求項１記載の医用画像診断装置。
【請求項３】
前記画像処理部は、複数フレームの透視画像に含まれる前記アブレーション用カテーテルの先端の平均位置を算出して、前記焼灼ポイントを示す画像を生成する請求項２記載の医用画像診断装置。
【請求項４】
前記アブレーション用カテーテルの先端をどこに移動するかをポインタによって指示するポインティングデバイスを備え、前記透視画像上に設定されたＲＯＩの中心を前記ポインタによって指示し、
前記画像処理部は、前記ポインタで指示した位置を順次に記憶し、前記記憶した位置に前記焼灼ポイントを示す画像を生成する請求項１記載の医用画像診断装置。
【請求項５】
被検体にＸ線を曝射するＸ線発生部と前記被検体を透過したＸ線を検出するＸ線検出器とを支持した支持体を回転・移動して前記被検体を透視し、
前記透視に基づいて透視画像を生成し、
前記透視画像上に前記被検体に挿入されたアブレーション用カテーテルでの焼灼対象位置に対応する焼灼ポイントを表示する医用画像処理方法。
【請求項６】
前記透視画像上に設定されたＲＯＩ内の画像から前記アブレーション用カテーテルの先端位置を認識し、前記焼灼ポイントを示す画像を生成する請求項５記載の医用画像処理方法。
【請求項７】
複数フレームの透視画像に含まれる前記アブレーション用カテーテルの先端画像の平均位置を算出して、前記焼灼ポイントを示す画像を生成する請求項６記載の医用画像処理方法。
【請求項８】
前記アブレーション用カテーテルの先端をどこに移動するかをポインタによって指示するポインティングデバイスを備え、
前記透視画像上に設定されたＲＯＩの中心を前記ポインタによって指示し、
前記ポインタで指示した位置を順次に記憶し、前記記憶した位置に前記焼灼ポイントを示す画像を生成する請求項５記載の医用画像処理方法。
【手続補正２】
【補正対象書類名】明細書
【補正対象項目名】０００９
【補正方法】変更
【補正の内容】
【０００９】
実施形態に係る医用画像診断装置は、被検体にＸ線を曝射するＸ線発生部と前記被検体を透過したＸ線を検出するＸ線検出器とを支持する支持体と、前記被検体に対して前記支持体を回転・移動して前記被検体を透視するように制御する制御部と、前記透視に基づいて透視画像を生成する画像処理部と、前記透視画像上に、前記被検体に挿入されたアブレーション用カテーテルでの焼灼対象位置に対応する焼灼ポイントを表示する表示部と、を具備する。
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
フロア及び天井を有するホール内において行われる葬儀方法であって、
棺の蓋の全部又は一部を開放した状態で前記棺を前記フロア上に配置し、そして
一の端部と他の端部とを有しており、且つ視覚的に前記棺の内部の様子が過度に鮮明に映らないようにするための暈し手段の前記一の端部を、直接的に又は固定具を介して間接的に前記棺の上方にある前記天井部分へ取り付け、そして前記暈し手段の前記他の端部を、前記天井部分又は前記固定具から前記棺の側壁の外周部分の全部又は一部へ向けて垂れ下げることにより、前記暈し手段を前記棺の全部又は一部を覆うように配置したことを特徴とする葬儀方法。
【請求項２】
フロア及び天井を有するホール内において行われる葬儀方法であって、
棺の蓋の全部又は一部を開放した状態で前記棺を前記フロア上に配置し、
脚と、前記脚の上部同士を連結するように配置された梁とを有する骨組み構造体の前記脚を前記棺の周りに立てることにより、前記骨組み構造体を前記棺を囲むように配置し、そして
一の端部と他の端部とを有しており、且つ視覚的に前記棺の内部の様子が過度に鮮明に映らないようにするための暈し手段の前記一の端部を、直接的に又は固定具を介して間接的に前記棺の上方にある前記梁の部分へ取り付け、そして前記暈し手段の前記他の端部を、前記梁の部分又は前記固定具から前記棺の側壁の外周部分の全部又は一部へ向けて垂れ下げることにより、前記暈し手段を前記棺の全部又は一部を覆うように配置したことを特徴とする葬儀方法。
【請求項３】
前記暈し手段又は前記固定具は、前記棺の略真上に位置する前記天井部分又は前記梁の部分に取り付けられていることを特徴とする請求項１又は２に記載の葬儀方法。
【請求項４】
前記暈し手段又は前記固定具は、略水平に支持される枠体又は板状体を備えており、そして前記暈し手段は、前記天井部分又は前記梁の部分と前記棺の間で、前記枠体又は前記板状体によって前記枠体又は前記板状体の形状へ沿うように広げられていることを特徴とする請求項１ないし３のいずれかに記載の葬儀方法。
【請求項５】
前記暈し手段の他の端部は、前記棺の側壁外周部の下端まで、又は該下端を通過して前記棺の下方まで垂れ下がっていることを特徴とする請求項１ないし４のいずれかに記載の葬儀方法。
【請求項６】
前記暈し手段は、前記暈し手段の他の端部を上方へ捲くり上げたり、又は左右へ開いたりすることができることを特徴とする請求項１ないし５のいずれかに記載の葬儀方法。
【請求項７】
前記暈し手段の色彩は、白色系であることを特徴とする請求項１ないし６のいずれかに記載の葬儀方法。
【請求項８】
前記暈し手段は、透けた布やネットからできているベールであることを特徴とする請求項１ないし７のいずれかに記載の葬儀方法。
【請求項９】
前記棺の中に安置される遺体は、エンバーミング処理が施されていることを特徴とする請求項１ないし８のいずれかに記載の葬儀方法。
【手続補正書】
【提出日】平成26年10月6日(2014.10.6)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００２
【補正方法】変更
【補正の内容】
【０００２】
遊技領域に遊技球を発射し、当該遊技領域に設けられた入賞口への遊技球の入賞に基づき、所定の遊技球を払い出す遊技機が知られている。このような遊技機として、入賞口に設けたセンサからの遊技球の検出信号が、遊技を統括的に管理する遊技制御装置に入力され、遊技制御装置が装置を制御する払出制御装置に対して入賞口に対応する数の遊技球を払い出す指令を送信し、払出制御装置が遊技制御装置からの指令に基づき装置を制御して所定数の遊技球を払い出すように構成された遊技機が開示されている（例えば特許文献１参照）。
【手続補正３】
【補正対象書類名】明細書
【補正対象項目名】０００３
【補正方法】変更
【補正の内容】
【０００３】
この特許文献１の遊技機では、遊技制御装置のバックアップ領域に保存されているバックアップフラグに基づいて、自身をＲＡＭクリアするかを判断しているだけであった。
【手続補正４】
【補正対象書類名】明細書
【補正対象項目名】０００４
【補正方法】変更
【補正の内容】
【０００４】
【特許文献１】特開２００４−７３５１５号公報
【手続補正５】
【補正対象書類名】明細書
【補正対象項目名】０００５
【補正方法】変更
【補正の内容】
【０００５】
しかしながら特許文献１の遊技機では、遊技制御装置のバックアップフラグさえ正常であれば電力供給停止前の未払出賞球数を正しいものとしていたので、払出制御装置側に不正が行われた場合にもそのまま動作を継続してしまうおそれがあった。
【手続補正６】
【補正対象書類名】明細書
【補正対象項目名】０００６
【補正方法】変更
【補正の内容】
【０００６】
本発明の目的は、遊技機に不正が行われた場合に、遊技店が不測の不利益を被るのを回避できる遊技機を提供することを目的とする。
【手続補正７】
【補正対象書類名】明細書
【補正対象項目名】０００７
【補正方法】変更
【補正の内容】
【０００７】
以上の課題を解決するため、請求項１に記載の発明は、遊技を統括的に制御する遊技制御装置と、
前記遊技制御装置からの指令に基づいて遊技価値を付与する制御を行う払出制御装置と、
遊技機外部から供給される定格電圧から所定の電源電圧を生成して前記各制御装置に供給する電源装置と、を備える遊技機において、
前記遊技制御装置は、
電源電圧が所定の電圧に低下したことに基づいて、自身のデータを記憶保持するための処理を行う第１記憶保持手段と、
前記払出制御装置と相互認証を行う第１相互認証手段と、を備え、
前記払出制御装置は、
電源電圧が所定の電圧に低下したことに基づいて、自身のデータを記憶保持するための処理を行う第２記憶保持手段と、
前記遊技制御装置と相互認証を行う第２相互認証手段と、を備え、
前記遊技制御装置および前記払出制御装置は、
電源遮断状態からの復帰後、前記第１相互認証手段または第２相互認証手段において正当性が確認されなかった場合は、ともに記憶保持されたデータを破棄する初期化処理を行うことを特徴とする。
【手続補正８】
【補正対象書類名】明細書
【補正対象項目名】０００８
【補正方法】変更
【補正の内容】
【０００８】
請求項１に記載の発明によれば、遊技機に不正が行われた場合に、遊技店が不測の不利益を被るのを回避できる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
本発明によれば、遊技機に不正が行われた場合に、遊技店が不測の不利益を被るのを回避できる。
【手続補正１２】
【補正対象書類名】特許請求の範囲
【補正対象項目名】全文
【補正方法】変更
【補正の内容】
【特許請求の範囲】
【請求項１】
遊技を統括的に制御する遊技制御装置と、
前記遊技制御装置からの指令に基づいて遊技価値を付与する制御を行う払出制御装置と、
遊技機外部から供給される定格電圧から所定の電源電圧を生成して前記各制御装置に供給する電源装置と、を備える遊技機において、
前記遊技制御装置は、
電源電圧が所定の電圧に低下したことに基づいて、自身のデータを記憶保持するための処理を行う第１記憶保持手段と、
前記払出制御装置と相互認証を行う第１相互認証手段と、を備え、
前記払出制御装置は、
電源電圧が所定の電圧に低下したことに基づいて、自身のデータを記憶保持するための処理を行う第２記憶保持手段と、
前記遊技制御装置と相互認証を行う第２相互認証手段と、を備え、
前記遊技制御装置および前記払出制御装置は、
電源遮断状態からの復帰後、前記第１相互認証手段または第２相互認証手段において正当性が確認されなかった場合は、ともに記憶保持されたデータを破棄する初期化処理を行うことを特徴とする遊技機。
【手続補正書】
【提出日】平成26年10月6日(2014.10.6)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００６
【補正方法】変更
【補正の内容】
【０００６】
本発明の目的は、払出制御装置の処理負担を軽減することである。
【手続補正３】
【補正対象書類名】明細書
【補正対象項目名】０００７
【補正方法】変更
【補正の内容】
【０００７】
以上の課題を解決するため、請求項１に記載の発明は、遊技盤の遊技領域に設けられた入賞口に遊技球が入賞したことを条件として、該入賞口に予め設定された払出数に対応する指令信号を送信する遊技制御装置と、
前記遊技制御装置から受信した指令信号が払出数を示す場合に所定数の遊技球を払い出す制御を行う払出制御装置と、を備える遊技機において、
前記遊技制御装置は、
前記払出制御装置に指令信号を送信したことに基づいて所定のタイマによる計時を開始する計時手段を備え、
前記計時手段によって所定時間が経過したことに基づいて、次の指令信号を送信可能とし、
前記所定時間は、前記指令信号が示す払出数に対応して決定されることを特徴とする。
【手続補正４】
【補正対象書類名】明細書
【補正対象項目名】０００８
【補正方法】変更
【補正の内容】
【０００８】
請求項１に記載の発明によれば、払出制御装置にだけ記憶される未払出数データの未払出数を少なくすることができ、払出制御装置の処理負担を軽減することができる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明によれば、払出制御装置にだけ記憶される未払出数データの未払出数を少なくすることができ、払出制御装置の処理負担を軽減することができる。
【手続補正１０】
【補正対象書類名】特許請求の範囲
【補正対象項目名】全文
【補正方法】変更
【補正の内容】
【特許請求の範囲】
【請求項１】
遊技盤の遊技領域に設けられた入賞口に遊技球が入賞したことを条件として、該入賞口に予め設定された払出数に対応する指令信号を送信する遊技制御装置と、
前記遊技制御装置から受信した指令信号が払出数を示す場合に所定数の遊技球を払い出す制御を行う払出制御装置と、を備える遊技機において、
前記遊技制御装置は、
前記払出制御装置に指令信号を送信したことに基づいて所定のタイマによる計時を開始する計時手段を備え、
前記計時手段によって所定時間が経過したことに基づいて、次の指令信号を送信可能とし、
前記所定時間は、前記指令信号が示す払出数に対応して決定されることを特徴とする遊技機。
【手続補正書】
【提出日】平成26年10月6日(2014.10.6)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００５
【補正方法】変更
【補正の内容】
【０００５】
しかしながら特許文献１の遊技機では、バックアップ機能を備える制御装置にのみ、停電が発生したことを示す信号を入力し、停電時の対処処理を行っていた。
【手続補正３】
【補正対象書類名】明細書
【補正対象項目名】０００６
【補正方法】変更
【補正の内容】
【０００６】
本発明の目的は、停電が発生したときに制御装置が的確な対処を行える遊技機を提供することを目的とする。
【手続補正４】
【補正対象書類名】明細書
【補正対象項目名】０００７
【補正方法】変更
【補正の内容】
【０００７】
以上の課題を解決するため、請求項１に記載の発明は、遊技を統括的に制御する遊技制御装置と、
前記遊技制御装置からの指令に対応する制御を行う複数の従属制御装置と、
遊技機外部から供給される定格電圧から所定の電源電圧を生成して前記各制御装置に供給する電源装置と、を備える遊技機において、
前記電源装置は、
前記電源電圧が所定の電圧に低下したことを検出し、停電検出信号を生成して、前記遊技制御装置と少なくとも１の従属制御装置に送信する停電検出信号生成手段を備え、
前記遊技制御装置は、
電源遮断状態でも記憶したデータを保持可能な記憶保持手段を備え、
前記停電検出信号の受信に基づいて、電源遮断に備えた対処処理を行うとともに、自身のデータを記憶保持するための処理を行い、
前記停電検出信号を受信する前記従属制御装置は、
電源遮断状態でも記憶したデータを保持可能な記憶保持手段を備えずに、前記停電検出信号の受信に基づいて、電源遮断に備えた対処処理を行うことを特徴とする。
【手続補正５】
【補正対象書類名】明細書
【補正対象項目名】０００８
【補正方法】変更
【補正の内容】
【０００８】
請求項１に記載の発明によれば、停電が発生したときに制御装置が的確な対処を行うことができる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明によれば、停電が発生したときに制御装置が的確な対処を行うことができる。
【手続補正１１】
【補正対象書類名】特許請求の範囲
【補正対象項目名】全文
【補正方法】変更
【補正の内容】
【特許請求の範囲】
【請求項１】
遊技を統括的に制御する遊技制御装置と、
前記遊技制御装置からの指令に対応する制御を行う複数の従属制御装置と、
遊技機外部から供給される定格電圧から所定の電源電圧を生成して前記各制御装置に供給する電源装置と、を備える遊技機において、
前記電源装置は、
前記電源電圧が所定の電圧に低下したことを検出し、停電検出信号を生成して、前記遊技制御装置と少なくとも１の従属制御装置に送信する停電検出信号生成手段を備え、
前記遊技制御装置は、
電源遮断状態でも記憶したデータを保持可能な記憶保持手段を備え、
前記停電検出信号の受信に基づいて、電源遮断に備えた対処処理を行うとともに、自身のデータを記憶保持するための処理を行い、
前記停電検出信号を受信する前記従属制御装置は、
電源遮断状態でも記憶したデータを保持可能な記憶保持手段を備えずに、前記停電検出信号の受信に基づいて、電源遮断に備えた対処処理を行うことを特徴とする遊技機。
【手続補正書】
【提出日】平成26年10月6日(2014.10.6)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００２
【補正方法】変更
【補正の内容】
【０００２】
遊技領域に遊技球を発射し、当該遊技領域に設けられた入賞口への遊技球の入賞に基づき、所定の遊技球を払い出す遊技機が知られている。このような遊技機として、入賞口に設けたセンサからの遊技球の検出信号が、遊技を統括的に管理する遊技制御装置に入力され、遊技制御装置が球払出装置を制御する払出制御装置に対して入賞口に対応する数の遊技球を払い出す指令を送信し、払出制御装置が遊技制御装置からの指令に基づき球払出装置を制御して所定数の遊技球を払い出すように構成された遊技機が開示されている（例えば特許文献１参照）。
【手続補正３】
【補正対象書類名】明細書
【補正対象項目名】０００３
【補正方法】変更
【補正の内容】
【０００３】
この特許文献１の遊技機では、遊技制御装置と払出制御装置との間の通信に関する異常を検出し、異常であることを検出すると発射を停止させるようにしている。
【手続補正４】
【補正対象書類名】明細書
【補正対象項目名】０００４
【補正方法】変更
【補正の内容】
【０００４】
【特許文献１】特開２００４−７３５１５号公報
【手続補正５】
【補正対象書類名】明細書
【補正対象項目名】０００５
【補正方法】変更
【補正の内容】
【０００５】
しかしながら特許文献１の遊技機では、遊技制御装置と払出制御装置との間の通信に関する異常が検出されても発射を停止するだけであり、記憶保持された未払い出しのデータが残っていると払出制御が開始されるようになっていた。
【手続補正６】
【補正対象書類名】明細書
【補正対象項目名】０００６
【補正方法】変更
【補正の内容】
【０００６】
本発明の目的は、遊技機に異常がある場合に、不用意に払出制御を行わないようにすることを目的とする。
【手続補正７】
【補正対象書類名】明細書
【補正対象項目名】０００７
【補正方法】変更
【補正の内容】
【０００７】
以上の課題を解決するため、請求項１に記載の発明は、遊技盤の遊技領域に設けられた入賞口に遊技球が入賞したことを条件として、賞球数データを送信する遊技制御装置と、
前記遊技制御装置から受信した賞球数データに基づき所定数の遊技球を払い出す制御を行う払出制御装置と、
遊技球を遊技領域に発射する制御を行う発射制御装置と、を備える遊技機において、
前記払出制御装置は、
前記遊技制御装置との通信が確立できているか否かを判定する通信確立判定手段と、
前記発射制御装置に対する発射の可否を判定する発射可否判定手段と、
遊技球の払い出しを開始するか否かを判定する払出開始判定手段と、を備え、
前記通信確立判定手段によって通信が確立できたと判定できるまで、前記発射可否判定手段および／または前記払出開始判定手段による判定を行わないことを特徴とする。
【手続補正８】
【補正対象書類名】明細書
【補正対象項目名】０００８
【補正方法】変更
【補正の内容】
【０００８】
請求項１に記載の発明によれば、遊技機に異常がある場合に、不用意に払出制御を行わないようにすることができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】変更
【補正の内容】
【００１７】
本発明によれば、遊技機に異常がある場合に、不用意に払出制御を行わないようにすることができる。
【手続補正１８】
【補正対象書類名】特許請求の範囲
【補正対象項目名】全文
【補正方法】変更
【補正の内容】
【特許請求の範囲】
【請求項１】
遊技盤の遊技領域に設けられた入賞口に遊技球が入賞したことを条件として、賞球数データを送信する遊技制御装置と、
前記遊技制御装置から受信した賞球数データに基づき所定数の遊技球を払い出す制御を行う払出制御装置と、
遊技球を遊技領域に発射する制御を行う発射制御装置と、を備える遊技機において、
前記払出制御装置は、
前記遊技制御装置との通信が確立できているか否かを判定する通信確立判定手段と、
前記発射制御装置に対する発射の可否を判定する発射可否判定手段と、
遊技球の払い出しを開始するか否かを判定する払出開始判定手段と、を備え、
前記通信確立判定手段によって通信が確立できたと判定できるまで、前記発射可否判定手段および／または前記払出開始判定手段による判定を行わないことを特徴とする遊技機。
【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
滅菌室から持ち出せる携帯滅菌装置であって、
内腔がある被滅菌物と結合する結合部と、
前記滅菌室のガスを吸引し、前記被滅菌物との結合部から前記内腔に排出するポンプと、
設置されている環境の状態に応じて、前記ポンプによる前記ガスの排出を制御する制御手段と、
を備えることを特徴とする携帯滅菌装置。
【請求項２】
前記制御手段は、前記環境の状態が第１の状態になった場合に、前記ガスの排出を起動することを特徴とする請求項１に記載の携帯滅菌装置。
【請求項３】
前記制御手段は、前記環境の状態が第２の状態になった場合に、前記起動した前記ガスの排出を停止することを特徴とする請求項２に記載の携帯滅菌装置。
【請求項４】
前記状態は圧力であることを特徴とする請求項１乃至請求項３に記載の携帯滅菌装置。
【請求項５】
前記第１の状態は、前記圧力が１００００パスカル以下であることを特徴とする請求項４に記載の携帯滅菌装置。
【請求項６】
前記第２の状態は、前記圧力が１００００パスカル以上であることを特徴とする請求項４または請求項５に記載の携帯滅菌装置。
【請求項７】
前記状態は温度であることを特徴とする請求項１乃至請求項３に記載の携帯滅菌装置。
【請求項８】
滅菌室から持ち出せる、内腔がある被滅菌物と結合する結合部と、前記滅菌室のガスを吸引し、前記被滅菌物との結合部から前記内腔に排出するポンプとを備える携帯滅菌装置を用いた滅菌方法であって、
前記携帯滅菌装置の制御手段が、設置されている環境の状態に応じて、前記ポンプによる前記ガスの排出を制御する制御工程を含むことを特徴とする滅菌方法。
【手続補正２】
【補正対象書類名】明細書
【補正対象項目名】０００８
【補正方法】変更
【補正の内容】
【０００８】
本願発明は、滅菌室から持ち出せる携帯滅菌装置であって、内腔がある被滅菌物と結合する結合部と、前記滅菌室のガスを吸引し、前記被滅菌物との結合部から前記内腔に排出するポンプと、設置されている環境の状態に応じて、前記ポンプによる前記ガスの排出を制御する制御手段と、を備えることを特徴とする。
また、前記制御手段は、前記環境の状態が第１の状態になった場合に、前記ガスの排出を起動することを特徴とする。
また、前記制御手段は、前記環境の状態が第２の状態になった場合に、前記起動した前記ガスの排出を停止することを特徴とする。
また、前記状態は圧力であることを特徴とする。
また、前記第１の状態は、前記圧力が１００００パスカル以下であることを特徴とする。
また、前記第２の状態は、前記圧力が１００００パスカル以上であることを特徴とする。
また、前記状態は温度であることを特徴とする。